(57)【要約】【課題】異なる無線通信方式間でのハンドオーバを行うことが可能な、MT-TA Interface仕様を採用する移動通信局、通信方法及び通信システムを提供する。【解決手段】無線回線制御部（MTF1）１が、対応する移動ネットワーク（NW1）７からハンドオーバ要求を受けた場合に、無線回線制御部（MTF2）２が、対応する移動ネットワーク（NW2）８との間で通信を行って無線回線上のハンドオーバ処理を完了し、アダプタ部（TAF1）３と無線回線制御部（MTF1）１とが協調した通信から、アダプタ部（TAF2）１０と無線回線制御部（MTF2）２とが協調した通信に切り替える。【選択図】図１
2005328412.tif 000002
【特許請求の範囲】
【請求項１】
ARIB（Association of Radio Industries and Businesses）TR-T12-27.A02にて規定されるMT-TA Interface仕様を採用する移動通信局であって、
それぞれ異なる無線通信方式に対する無線回線制御部である複数のMTF（Mobile Termination Function）と、
HMI（Human Machine Interface）を含むTE（Terminal Equipment）と前記複数のMTFの各々との間のアダプタ部たる、前記複数のMTFの各々に対応した複数のTAF（Terminal Adaptation Function）と
を備え、
前記複数のMTFの一つは、対応する回線網からハンドオーバ要求を受けた場合に、前記複数のMTFの他の一つへのハンドオーバ処理を開始する旨を、前記複数のMTFの前記他の一つ、並びに、前記複数のTAFのうち前記複数のMTFの前記一つに対応するもの及び前記複数のMTFの前記他の一つに対応するものに対してそれぞれ通知し、
前記複数のMTFの前記他の一つは、前記ハンドオーバ処理開始の通知を受けて、対応する他の回線網との間で通信を行って無線回線上のハンドオーバ処理を完了し、前記無線回線上のハンドオーバ処理の完了を前記複数のTAFのうち前記複数のMTFの前記他の一つに対応するものに対して通知し、
前記複数のTAFのうち前記複数のMTFの前記一つに対応するものは、前記ハンドオーバ処理開始の通知を受けて、前記複数のMTFの前記一つとの間の通信を中断し、
前記複数のTAFのうち前記複数のMTFの前記他の一つに対応するものは、前記ハンドオーバ処理開始の通知、および、前記無線回線上のハンドオーバ処理の完了の通知を受けて、前記複数のMTFの前記他の一つとの間の通信を開始する
移動通信局。
【請求項２】
ARIB（Association of Radio Industries and Businesses）TR-T12-27.A02にて規定されるMT-TA Interface仕様を採用する移動通信局を用いた通信方法であって、
（ａ）それぞれ異なる無線通信方式の無線回線制御部である複数のMTF（Mobile Termination Function）の一つが、対応する回線網からハンドオーバ要求を受けた場合に、前記複数のMTFの他の一つへのハンドオーバ処理を開始する旨を、前記複数のMTFの前記他の一つ、並びに、HMI（Human Machine Interface）を含むTE（Terminal Equipment）と前記複数のMTFの各々との間のアダプタ部たる、前記複数のMTFの各々に対応した複数のTAF（Terminal Adaptation Function）のうち前記複数のMTFの前記一つに対応するもの及び前記複数のMTFの前記他の一つに対応するものに対してそれぞれ通知する工程と、
（ｂ）前記複数のMTFの前記他の一つが、前記ハンドオーバ処理開始の通知を受けた場合、対応する他の回線網との間で通信を行って無線回線上のハンドオーバ処理を完了させ、前記無線回線上のハンドオーバ処理の完了を前記複数のTAFのうち前記複数のMTFの前記他の一つに対応するものに対して通知する工程と、
（ｃ）前記複数のTAFのうち前記複数のMTFの前記一つに対応するものが、前記ハンドオーバ処理開始の通知を受けた場合、前記複数のMTFの前記一つとの間の通信を中断する工程と、
（ｄ）前記複数のTAFのうち前記複数のMTFの前記他の一つに対応するものが、前記ハンドオーバ処理開始の通知、および、前記無線回線上のハンドオーバ処理の完了の通知を受けた場合、前記複数のMTFの前記他の一つとの間の通信を開始する工程と
を備える通信方法。
【請求項３】
ARIB（Association of Radio Industries and Businesses）TR-T12-27.A02にて規定されるMT-TA Interface仕様を採用する移動通信局と、
異なる無線通信方式による第１および第２回線網と
を含む通信システムであって、
前記第１回線網が前記移動通信局との通信中に、前記移動通信局へとハンドオーバ要求を送信し、
前記移動通信局が前記第１回線網からハンドオーバ要求を受けると、前記第１回線網の無線通信方式に対応する無線回線制御部である第１MTF（Mobile Termination Function）が、前記第２回線網の無線通信方式に対応する無線回線制御部である第２MTFへのハンドオーバ処理開始を、前記第２MTF、並びに、HMI（Human Machine Interface）を含むTE（Terminal Equipment）と前記第１および第２MTFの各々との間のアダプタ部たる、第１および第２TAF（Terminal Adaptation Function）に対してそれぞれ通知し、
前記第２MTFは、前記ハンドオーバ処理開始の通知を受けて、前記第２回線網との間で無線回線上のハンドオーバ処理を完了し、ハンドオーバ処理完了を前記第２TAFに対して通知し、
前記第１TAFは、前記ハンドオーバ処理開始の通知を受けて、前記第１MTFとの間の通信を中断し、
前記第２TAFは、前記ハンドオーバ処理開始の通知、および、前記ハンドオーバ処理完了の通知を受けて、前記第２MTFとの間の通信を開始して、
前記移動通信局と前記第２回線網とが通信を開始する
通信システム。
【発明の詳細な説明】
【技術分野】
【０００１】
本発明は移動体通信に関し、特に、異なる無線通信方式間のハンドオーバに対応可能な移動通信局、通信方法及び通信システムに関する。
【背景技術】
【０００２】
下記の非特許文献１は、移動通信局の無線回線終端部たるMT（Mobile Termination）と移動通信局のアダプタ部たるTA（Terminal Adaptor）との論理インタフェース（MT-TA Interface）の仕様を規定する。なお、TAは、表示ディスプレイやマイクロフォン等のHMI（Human Machine Interface）を含むTE（Terminal Equipment）とMTとの間のアダプタとして機能する。
【０００３】
非特許文献１中の3.2.ConfigurationのFigure 3.2-1 Configuration of MT and TAにおいては、移動通信局の構成例が示されている。この図においては、移動通信局の構成装置たるME（Mobile Equipment）内に、TAと同じくアダプタ機能を有するアダプタ部TAF（TA Function）や、ユーザ認識機能を有するUIMF（User Identity Module Function）、MT等の各種機能ブロックが設けられている。なお、図中のMT内には、無線回線制御部たるMTF（MT Function）が存在する。
【０００４】
なお、この出願の発明に関連する先行技術文献情報としては次のものがある。
【０００５】
【特許文献１】特開２００１−３６９３７号公報
【非特許文献１】ARIB TR-T12-27.A02 V3.4.0 MT-TA Interface Description、                      インターネット＜URL:http://www.arib.or.jp/IMT-2000/V330Mar                      03/T12/0_T12coverV330.html＞
【発明の開示】
【発明が解決しようとする課題】
【０００６】
さて、非特許文献１で規定されるMT-TA Interface仕様では、異なる無線通信方式（例えば、旧世代方式たるGSM（Global System for Mobile communications）方式と、次世代方式たるIMT-2000（International Mobile Telecommunication 2000）方式と）の無線回線制御部（MTF）をそれぞれ移動通信局内に設けた場合に、異方式間ハンドオーバに関する手順（procedure）およびMT-TA Interfaceにおけるメッセージ仕様が規定されていなかった。
【０００７】
よって、異方式の無線回線制御部（MTF）を論理的または物理的に備えた、MT-TA Interface仕様を採用する移動通信局において、異方式間ハンドオーバができないという問題があった。
【０００８】
一方、従来の異方式間ハンドオーバの技術を開示するものとして、上記の特許文献１が存在する。しかし、特許文献１に記載の技術は、非特許文献１で規定されるMT-TA Interface仕様を採用する移動通信局における異方式間ハンドオーバを教示するものではない。
【０００９】
本発明は、上記のような問題点を解決し、非特許文献１で規定されるMT-TA Interface仕様を採用し、かつ、異なる無線通信方式間でのハンドオーバを行うことが可能な移動通信局、通信方法及び通信システムを提供するものである。
【課題を解決するための手段】
【００１０】
請求項１に記載の発明は、ARIB（Association of Radio Industries and Businesses）TR-T12-27.A02にて規定されるMT-TA Interface仕様を採用する移動通信局であって、それぞれ異なる無線通信方式に対する無線回線制御部である複数のMTF（Mobile Termination Function）と、HMI（Human Machine Interface）を含むTE（Terminal Equipment）と前記複数のMTFの各々との間のアダプタ部たる、前記複数のMTFの各々に対応した複数のTAF（Terminal Adaptation Function）とを備え、前記複数のMTFの一つは、対応する回線網からハンドオーバ要求を受けた場合に、前記複数のMTFの他の一つへのハンドオーバ処理を開始する旨を、前記複数のMTFの前記他の一つ、並びに、前記複数のTAFのうち前記複数のMTFの前記一つに対応するもの及び前記複数のMTFの前記他の一つに対応するものに対してそれぞれ通知し、前記複数のMTFの前記他の一つは、前記ハンドオーバ処理開始の通知を受けて、対応する他の回線網との間で通信を行って無線回線上のハンドオーバ処理を完了し、前記無線回線上のハンドオーバ処理の完了を前記複数のTAFのうち前記複数のMTFの前記他の一つに対応するものに対して通知し、前記複数のTAFのうち前記複数のMTFの前記一つに対応するものは、前記ハンドオーバ処理開始の通知を受けて、前記複数のMTFの前記一つとの間の通信を中断し、前記複数のTAFのうち前記複数のMTFの前記他の一つに対応するものは、前記ハンドオーバ処理開始の通知、および、前記無線回線上のハンドオーバ処理の完了の通知を受けて、前記複数のMTFの前記他の一つとの間の通信を開始する移動通信局である。
【００１１】
請求項２に記載の発明は、ARIB（Association of Radio Industries and Businesses）TR-T12-27.A02にて規定されるMT-TA Interface仕様を採用する移動通信局を用いた通信方法であって、（ａ）それぞれ異なる無線通信方式の無線回線制御部である複数のMTF（Mobile Termination Function）の一つが、対応する回線網からハンドオーバ要求を受けた場合に、前記複数のMTFの他の一つへのハンドオーバ処理を開始する旨を、前記複数のMTFの前記他の一つ、並びに、HMI（Human Machine Interface）を含むTE（Terminal Equipment）と前記複数のMTFの各々との間のアダプタ部たる、前記複数のMTFの各々に対応した複数のTAF（Terminal Adaptation Function）のうち前記複数のMTFの前記一つに対応するもの及び前記複数のMTFの前記他の一つに対応するものに対してそれぞれ通知する工程と、（ｂ）前記複数のMTFの前記他の一つが、前記ハンドオーバ処理開始の通知を受けた場合、対応する他の回線網との間で通信を行って無線回線上のハンドオーバ処理を完了させ、前記無線回線上のハンドオーバ処理の完了を前記複数のTAFのうち前記複数のMTFの前記他の一つに対応するものに対して通知する工程と、（ｃ）前記複数のTAFのうち前記複数のMTFの前記一つに対応するものが、前記ハンドオーバ処理開始の通知を受けた場合、前記複数のMTFの前記一つとの間の通信を中断する工程と、（ｄ）前記複数のTAFのうち前記複数のMTFの前記他の一つに対応するものが、前記ハンドオーバ処理開始の通知、および、前記無線回線上のハンドオーバ処理の完了の通知を受けた場合、前記複数のMTFの前記他の一つとの間の通信を開始する工程とを備える通信方法である。
【００１２】
請求項３に記載の発明は、ARIB（Association of Radio Industries and Businesses）TR-T12-27.A02にて規定されるMT-TA Interface仕様を採用する移動通信局と、異なる無線通信方式による第１および第２回線網とを含む通信システムであって、前記第１回線網が前記移動通信局との通信中に、前記移動通信局へとハンドオーバ要求を送信し、前記移動通信局が前記第１回線網からハンドオーバ要求を受けると、前記第１回線網の無線通信方式に対応する無線回線制御部である第１MTF（Mobile Termination Function）が、前記第２回線網の無線通信方式に対応する無線回線制御部である第２MTFへのハンドオーバ処理開始を、前記第２MTF、並びに、HMI（Human Machine Interface）を含むTE（Terminal Equipment）と前記第１および第２MTFの各々との間のアダプタ部たる、第１および第２TAF（Terminal Adaptation Function）に対してそれぞれ通知し、前記第２MTFは、前記ハンドオーバ処理開始の通知を受けて、前記第２回線網との間で無線回線上のハンドオーバ処理を完了し、ハンドオーバ処理完了を前記第２TAFに対して通知し、前記第１TAFは、前記ハンドオーバ処理開始の通知を受けて、前記第１MTFとの間の通信を中断し、前記第２TAFは、前記ハンドオーバ処理開始の通知、および、前記ハンドオーバ処理完了の通知を受けて、前記第２MTFとの間の通信を開始して、前記移動通信局と前記第２回線網とが通信を開始する通信システムである。
【発明の効果】
【００１３】
本発明によれば、複数のMTFの一つが、対応する回線網からハンドオーバ要求を受けた場合に、複数のMTFの他の一つが、対応する他の回線網との間で通信を行って無線回線上のハンドオーバ処理を完了し、複数のTAFのうち複数のMTFの一つに対応するものは、複数のMTFの一つとの間の通信を中断し、複数のTAFのうち複数のMTFの他の一つに対応するものは、複数のMTFの他の一つとの間の通信を開始する。よって、MT-TA Interface仕様を採用する移動通信局において、異方式間でのハンドオーバを適切に行うことが可能となる。また、このように、MTF間での切替処理だけでなく、TAF間での切替処理をも定めておけば、例えばGSM方式用のTAFとIMT-2000方式用のTAFとを、両方式共通のアダプタとして一つだけ設けるのではなく、各方式ごとに個別に移動通信局内に設ける場合に、異方式間でのハンドオーバ処理時にTAFの切替処理をも適切に行うことが可能となる。
【発明を実施するための最良の形態】
【００１４】
本発明に係る実施の形態は、非特許文献１に規定されたMT-TA Interface仕様を採用する移動通信局、当該移動通信局を用いた通信方法、及び、当該移動通信局を含む通信システムであって、異なる無線通信方式のMTF間でのハンドオーバを行うことが可能なものである。
【００１５】
図１は、本実施の形態に係る移動通信局及び通信システムが異方式間ハンドオーバを行う際のシーケンスフローを示す図である。また、図２は、本発明の実施の形態における移動通信局及び通信システムの構成を示した図である。
【００１６】
図２に示すように、移動通信局６は、第一の無線通信方式（例えば旧世代のGSM方式）の移動ネットワーク（NW1）７と、第二の無線通信方式（例えば次世代のIMT-2000方式）の移動ネットワーク（NW2）８とに対し、それぞれの無線通信方式（＝無線アクセスシステム）の無線回線制御部（MTF1,MTF2）１，２を介して通信する。
【００１７】
なお、図１及び図２では、第一及び第二の二種類の無線アクセスシステムを図示しているが、これに限られず三種類以上の無線アクセスシステムのMTF及び移動ネットワークがあってもよい。
【００１８】
移動通信局６は、上記の無線回線制御部（MTF1,MTF2）１，２以外に、第一の無線通信方式（例えば旧世代のGSM方式）用のアダプタ部（TAF1）３と、第二の無線通信方式（例えば次世代のIMT-2000方式）用のアダプタ部（TAF2）１０と、その他の機能ブロック４と、TE(HMI)５と、外部インタフェース２０とを含んでいる。ここで、TE(HMI)５は、例えば携帯電話の操作盤やマイクロフォン装置、スピーカ等の人間の知覚へのインタフェースとなる装置を指す。また、外部インタフェース２０は、例えばパーソナルコンピュータ等の外部機器と移動通信局６とを接続するための、ＵＳＢ（Universal Serial Bus）等のインタフェースである。
【００１９】
また、例えば移動通信局６に音声通信機能を持たせる場合、第一の無線通信方式のアダプタ部（TAF1）３には、アダプタ機能の一例として第一の無線通信方式専用の音声ＣＯＤＥＣ（coder-decoder）が設けられ、第二の無線通信方式のアダプタ部（TAF2）１０には、同じくアダプタ機能の一例として第二の無線通信方式専用の音声ＣＯＤＥＣが設けられる。なお、図２のアダプタ部３，１０のいずれにおいても、音声ＣＯＤＥＣ等、アダプタ機能の詳細例は図示されていない。
【００２０】
アダプタ部３，１０は、音声ＣＯＤＥＣ機能の他にも例えば、携帯電話を用いてのホームページ閲覧時やメール送受信時のパケット通信を司どる通信機能などを備えていてもよい。
【００２１】
無線回線制御部（MTF1）１は、アダプタ部（TAF1）３と協調して、対応する無線アクセスシステムの移動ネットワーク７と通信を行う。また、無線回線制御部（MTF2）２は、アダプタ部（TAF2）１０と協調して、対応する無線アクセスシステムの移動ネットワーク８と通信を行う。
【００２２】
なお、図２では、第一及び第二の無線アクセスシステムのそれぞれに対応して、移動通信局６の中に二つのアダプタ部（TAF1，TAF2）３，１０を設けているが、移動通信局６の中に三種類以上の無線アクセスシステムのMTFがある場合には、それぞれの無線アクセスシステムにそれぞれ対応して、三つ以上のアダプタ部を設けるようにしてもよい。
【００２３】
さて、図１においては、アダプタ部（TAF1）３が第一の無線アクセスシステムの無線回線制御部（MTF1）１を介して第一の無線アクセスシステムの移動ネットワーク（NW1）７と通信中にある状態CM1a,CM1bから、アダプタ部（TAF2）１０が第二の無線アクセスシステムの無線回線制御部（MTF2）２を介して第二の無線アクセスシステムの移動ネットワーク（NW2）８と通信する状態へと異方式間ハンドオーバを行う場合を示している。
【００２４】
そして、図３は、図１のシーケンスフローにおける無線回線制御部（MTF1）１の処理内容を示すフローチャートである。図４は、図１のシーケンスフローにおける無線回線制御部（MTF2）２の処理内容を示すフローチャートである。図５は、図１のシーケンスフローにおけるアダプタ部（TAF1）３の処理内容を示すフローチャートである。図６は、図１のシーケンスフローにおけるアダプタ部（TAF2）１０の処理内容を示すフローチャートである。
【００２５】
次に、動作について説明する。
【００２６】
図１において切替元MTFである無線回線制御部（MTF1）１が移動ネットワーク（NW1）７からハンドオーバを起動するための無線信号、例えば3GPP TS25.331で規定されるHANDOVER FROM UTRAN COMMANDメッセージIM1を受信すると、無線回線制御部（MTF1）１はハンドオーバ処理を起動し、切替先の無線アクセスシステムの判定を行い、移動通信局内の切替先MTF判別を行う（図１のステップS1及び図３のステップST0,ST1→ST2）。
【００２７】
続いて、無線回線制御部（MTF1）１及び無線回線制御部（MTF2）２間でハンドオーバ処理が開始される（図１のステップS2）。本実施の形態では、移動ネットワーク（NW2）８が含まれる第二の無線アクセスシステムに属する無線回線制御部（MTF2）２が切替先MTFとなるため、無線回線制御部（MTF1）１は、無線回線制御部（MTF2）２に対してハンドオーバ開始通知メッセージNT1を送信する（図３のステップST3）。
【００２８】
なお、無線回線制御部（MTF1）１及び無線回線制御部（MTF2）２が（物理的にでなく）論理的に移動通信局内に存在する場合（例えばMTF1及びMTF2がともに、一つのCPU(Central Processing Unit)上で動作するソフトウェアモジュールである場合など）は、無線回線制御部（MTF1）１は、このハンドオーバ開始通知メッセージNT1を送信せずにハンドオーバ開始を無線回線制御部（MTF2）２に通知することも可能である。ソフトウェア上で、ハンドオーバ開始を無線回線制御部（MTF1）１から無線回線制御部（MTF2）２に通知することが可能だからである。
【００２９】
そして、無線回線制御部（MTF1）１は、現在通信中である切替元のアダプタ部（TAF1）３に対して、切替先のMTF情報を含めたMTF切替要求メッセージRQ1を通知し、その後、切替元のアダプタ部（TAF1）３及び切替先のアダプタ部（TAF2）１０に対して、例えば切替後のサービス種別（一例として音声ＣＯＤＥＣの符号化則）の情報などを含めたTAF切替要求メッセージRQ2,RQ3をも通知する（図３のステップST4）。なお、このTAF切替要求メッセージRQ2,RQ3として、非特許文献１に規定されたMT-TA Interface仕様のうち同報メッセージ用に規定される“Global_ID”を採用し、この“Global_ID”を用いて一回のメッセージ通知でアダプタ部（TAF1,TAF2）３，１０の双方に同報しても良い。
【００３０】
また、無線回線制御部（MTF1）１は、切替元基地局との信号同期の確保や受信電界測定等のその他のハンドオーバ処理を行なう（図３のステップST5）。その他のハンドオーバ処理を行なった後は、ステップST1の判定処理に戻る。
【００３１】
切替先MTFである無線回線制御部（MTF2）２が無線回線制御部（MTF1）１からハンドオーバ開始通知メッセージNT1を受信すると、無線回線制御部（MTF2）２は、ハンドオーバ処理を開始し、移動ネットワーク（NW2）８に対して無線アクセスシステムを切り替えるための無線信号、例えば3GPP TS04.18で規定されるHANDOVER ACCESSメッセージIM2a〜IM2dを送信する（図４のステップST20、ST21→ST22）。
【００３２】
なお、3GPP TS04.18の規定ではこのメッセージを４回送信するため、図１ではHANDOVER ACCESSメッセージをIM2a〜IM2dの４つ分示したが、メッセージ数は省略により少なくなる場合もある。また、HANDOVER ACCESSメッセージIM2a〜IM2dの送信後、その他のハンドオーバ処理CM2もなされる（図４のステップST23）。その他のハンドオーバ処理を行なった後は、ステップST21の判定処理に戻る。
【００３３】
無線回線制御部（MTF2）２と移動ネットワーク（NW2）８との間でハンドオーバ処理が成功すると、ハンドオーバが完了したことを移動ネットワーク（NW2）８に通知するための無線信号、例えば3GPP TS04.18で規定されるHANDOVER COMPLETEメッセージIM3を無線回線制御部（MTF2）２は送信する。さらに、無線回線制御部（MTF2）２は、切替元MTFである無線回線制御部（MTF1）１に対しても、無線回線上でのハンドオーバ処理が完了したことを通知するハンドオーバ完了通知メッセージNT2を送信する（図４のステップST24→ST25）。そして、無線回線制御部（MTF2）２は、ハンドオーバ処理完了時の諸設定の状態を記憶する。
【００３４】
なお、無線回線制御部（MTF1）１及び無線回線制御部（MTF2）２が（物理的にでなく）論理的に移動通信局内に存在する場合は、無線回線制御部（MTF2）２は、このハンドオーバ完了通知メッセージNT2を送信せずにハンドオーバ完了を無線回線制御部（MTF1）１に通知することも可能である。ソフトウェア上で、ハンドオーバ完了を無線回線制御部（MTF2）２から無線回線制御部（MTF1）１に通知することが可能だからである。
【００３５】
無線回線制御部（MTF1）１は、無線回線制御部（MTF2）２からのハンドオーバ完了通知メッセージNT2を受信して、その他のハンドオーバ処理を行なう。これにより、無線回線上でのハンドオーバ処理が完了する（図１のステップS4及び図３のステップST6→ST7,ST8）。その後は、ステップST1の判定処理に戻る。
【００３６】
切替元TAFたるアダプタ部（TAF1）３は、無線回線制御部（MTF1）１からMTF切替要求メッセージRQ1を受信すると、このメッセージに含まれる切替先MTFの情報により、切替先MTFの判別を行うとともに、切替元MTFとアダプタ部（TAF1）３との間のユーザデータ（U-plane）の通信を中断する（図１のステップS3および図５のステップST40,ST41→ST42）。なお、ここでいうユーザデータとは、音声データやパケットデータのことを指す。
【００３７】
その後、アダプタ部（TAF1）３は、無線回線制御部（MTF1）１からTAF切替要求メッセージRQ2を受信すると、無線回線制御部（MTF1）１とアダプタ部（TAF1）３との間で“通信中”となっている呼状態を“空き（NULL）”に遷移させる。この際、アダプタ部（TAF1）３は、無線回線制御部（MTF1）１及びTE(HMI)５との間で呼解放処理は行わない（図１のステップS3aおよび図５のステップST43→ST44）。
【００３８】
そして、アダプタ部（TAF1）３は、切替元MTFたる無線回線制御部（MTF1）１に対してTAF切替終了の旨のTAF切替応答メッセージRP0aを送信し、さらに、MTF切替応答メッセージRP1をも送信する（図５のステップST45）。こうして、切替元TAFたるアダプタ部（TAF1）３でのTAF切替処理は終了する（図５のステップST46）。その後は、ステップST41の判定処理に戻る。
【００３９】
なお、図５のステップST41,ST43のいずれにおいてもNoと判断された場合には、ハンドオーバに関係のないその他の処理を行なう（図５のステップST47）。その後は、ステップST41の判定処理に戻る。
【００４０】
一方、切替先TAFたるアダプタ部（TAF2）１０は、無線回線制御部（MTF1）１からTAF切替要求メッセージRQ3を受信すると、無線回線制御部（MTF2）２とアダプタ部（TAF2）１０との間での呼状態を“通信中”に遷移させる。この際、アダプタ部（TAF2）１０は、無線回線制御部（MTF2）２及びTE(HMI)５との間で呼設定処理は行わない（図１のステップS3bおよび図６のステップST50,ST51→ST52）。
【００４１】
そして、アダプタ部（TAF2）１０は、切替元MTFたる無線回線制御部（MTF1）１に対してTAF切替終了の旨のTAF切替応答メッセージRP0bを送信する（図６のステップST53）。その後は、ステップST51の判定処理に戻る。
【００４２】
無線回線制御部（MTF1）１は、アダプタ部（TAF1,TAF2）３，１０のいずれかからのTAF切替応答メッセージを受信した時か、または、アダプタ部（TAF1）３からのMTF切替応答メッセージを受信した時に、アダプタ部（TAF1）３からのTAF切替応答メッセージRP0a、アダプタ部（TAF2）１０からのTAF切替応答メッセージRP0b、及び、アダプタ部（TAF1）３からのMTF切替応答メッセージRP1の全てを受信しているか否かを判断する（図３のステップST9）。そして、それら全てを受信しておれば、切替先MTFである無線回線制御部（MTF2）２に対してMTF切替応答メッセージRP2を送信する（図３のステップST10）。その後は、ステップST1の判定処理に戻る。
【００４３】
なお、本実施の形態においては、アダプタ部（TAF1）３からのMTF切替応答メッセージRP1を、無線回線制御部（MTF1）１が一旦受信して、MTF切替応答メッセージRP2として無線回線制御部（MTF2）２に送信する方式を記述した。しかし、このような無線回線制御部（MTF1）１に中継させるような方式を採用せずとも、例えばアダプタ部（TAF1）３がTAF切替要求メッセージRP0a,RP0bを、非特許文献１に規定されたMT-TA Interface仕様のうち同報メッセージ用に規定される“Global_ID”を用いて一回のメッセージ通知で、無線回線制御部（MTF1,MTF2）１，２の双方に同報しても良い。
【００４４】
また、図３のステップST1,ST6,ST9のいずれにおいてもNoと判断された場合には、ハンドオーバに関係のないその他の処理（例えばユーザが電話発信操作をしたときのMTF1の電話発信処理など）を行なう（図３のステップST11）。その後は、ステップST1の判定処理に戻る。
【００４５】
無線回線制御部（MTF2）２と移動ネットワーク（NW2）８との間でハンドオーバ処理が完了し、かつ、アダプタ部（TAF1）３から無線回線制御部（MTF1）１を中継して通知されたMTF切替応答メッセージRP2を無線回線制御部（MTF2）２が受信すると、無線回線制御部（MTF2）２は切替先アダプタ部（TAF2）１０に対してハンドオーバ処理が完了したことを通知するためのMTF切替完了メッセージNT3を送信する（図４のステップST27）。そして、無線回線制御部（MTF2）２でのシステム間ハンドオーバ処理を完了する（図４のステップST26〜ST31）。なお、ステップST23,ST32,ST33における「その他のハンドオーバ処理」とは、図３のステップST5,ST7と同様の処理を指し、ステップST34における「その他の処理」とは、図３のステップST11と同様の処理を指す。
【００４６】
切替先アダプタ部（TAF2）１０は、無線回線制御部（MTF2）２からのMTF切替完了メッセージNT3を受信すると、新たに、ユーザデータ（U-plane）の通信を切替先MTFである無線回線制御部（MTF2）２との間で開始する（図１のステップS5及び図６のステップST54→ST55）。これにより、移動通信局６内でのハンドオーバ処理が完了する（図１のステップS6）。なお、図６のステップST51,ST54のいずれにおいてもNoと判断された場合には、ハンドオーバに関係のないその他の処理を行なう（図６のステップST56）。その後は、ステップST51の判定処理に戻る。
【００４７】
これにより、アダプタ部（TAF2）１０が、第二の無線アクセスシステムの無線回線制御部（MTF2）２を介して第二の無線アクセスシステムの移動ネットワーク（NW2）８と通信中にある状態CM3a,CM3bが実現される。
【００４８】
本実施の形態に係る移動通信局、通信方法及び通信システムによれば、無線回線制御部（MTF1）１が、対応する移動ネットワーク（NW1）７からハンドオーバ要求を受けた場合に、無線回線制御部（MTF2）２が、対応する移動ネットワーク（NW2）８との間で通信を行って無線回線上のハンドオーバ処理を完了し、無線回線制御部（MTF1）１に対応するアダプタ部（TAF1）３は、無線回線制御部（MTF1）１との間の通信を中断し、無線回線制御部（MTF2）２に対応するアダプタ部（TAF2）１０は、無線回線制御部（MTF2）２との間の通信を開始する。よって、MT-TA Interface仕様を採用する移動通信局において、異方式間でのハンドオーバを適切に行うことが可能となる。
【００４９】
また、このように、無線回線制御部（MTF1,MTF2）１，２間での切替処理だけでなく、アダプタ部（TAF1,TAF2）３，１０間での切替処理をも定めておけば、例えばGSM方式用のアダプタ部（例えばGSM方式専用の音声ＣＯＤＥＣ）とIMT-2000方式用のアダプタ部（例えばIMT-2000方式専用の音声ＣＯＤＥＣ）とを、両方式共通のアダプタとして一つだけ設けるのではなく、各方式ごとに個別に移動通信局内に設ける場合に、異方式間でのハンドオーバ処理時にTAFの切替処理をも適切に行うことが可能となる。
【産業上の利用可能性】
【００５０】
この発明は、異方式の無線回線制御部を複数含む通信機器に利用可能であり、例えば携帯電話機やトランシーバ、ＰＤＡ（Personal Digital Assistance）、ノートパソコン等の通信機器に応用できる。
【図面の簡単な説明】
【００５１】
【図１】本発明の実施の形態に係る移動通信局が異方式間ハンドオーバを行う際のシーケンスフローを示す図である。
【図２】本発明の実施の形態に係る移動通信局及び通信システムの構成を示す図である。
【図３】本発明の実施の形態におけるMTF1の処理内容を示すフローチャートである。
【図４】本発明の実施の形態におけるMTF2の処理内容を示すフローチャートである。
【図５】本発明の実施の形態におけるTAF1の処理内容を示すフローチャートである。
【図６】本発明の実施の形態におけるTAF2の処理内容を示すフローチャートである。
【符号の説明】
【００５２】
１  第１の無線アクセスシステムの無線回線制御部、２  第２の無線アクセスシステムの無線回線制御部、３  第１の無線アクセスシステムのアダプタ部、４  その他の機能ブロック、６  移動通信局、７  第１の無線アクセスシステムの移動ネットワーク、８  第２の無線アクセスシステムの移動ネットワーク、１０  第２の無線アクセスシステムのアダプタ部、２０  外部インタフェース。
【図１】
2005328412.tif 000003
【図２】
2005328412.tif 000004
【図３】
2005328412.tif 000005
【図４】
2005328412.tif 000006
【図５】
2005328412.tif 000007
【図６】
2005328412.tif 000008